(57)【要約】  【課題】  利便性を向上できるテープ印刷装置を提供する。  【解決手段】    スペースコード、タブコードまたは改ブロックコードから成る区切りコードにより区分けされた複数の文字領域を有する文字列をテープに印刷するテープ印刷装置１において、文字列を入力順に印刷する通常印刷手段と、文字領域の順序を逆順にした文字列を印刷する逆順印刷を行う逆順印刷手段とを設けた。【選択図】      図６
2005081650.tif 000002
【特許請求の範囲】
【請求項１】
所定の区切りコードにより区分けされた複数の文字領域を有する文字列をテープに印刷するテープ印刷装置において、前記文字領域の順序を正順にして印刷する通常印刷を行う通常印刷手段と、前記文字領域の順序を逆順にした文字列を印刷する逆順印刷を行う逆順印刷手段とを有することを特徴とするテープ印刷装置。
【請求項２】
前記通常印刷と前記逆順印刷とを選択する印刷選択手段を設けたことを特徴とする請求項１に記載のテープ印刷装置。
【請求項３】
前記通常印刷と前記逆順印刷とを連続して行う連続印刷手段を備えたことを特徴とする請求項１または請求項２に記載のテープ印刷装置。
【請求項４】
前記通常印刷を行う第１印刷モードと、前記逆順印刷を行う第２印刷モードと、前記通常印刷と前記逆順印刷とを連続して行う第３印刷モードとを有することを特徴とする請求項３に記載のテープ印刷装置。
【請求項５】
前記区切りコードは、スペースコード、タブコード及び改ブロックコードの一または複数から成ることを特徴とする請求項１〜請求項４のいずれかに記載のテープ印刷装置。
【請求項６】
スペースコード、タブコード及び改ブロックコードの一または複数を選択する区切りコード選択手段を備えたことを特徴とする請求項５に記載のテープ印刷装置。
【請求項７】
前記逆順印刷時に、各前記文字領域内の文字の配置を反転する反転手段を設けたことを特徴とする請求項１〜請求項６のいずれかに記載のテープ印刷装置。
【請求項８】
前記逆順印刷時に、前記文字領域を区切るスペース領域またはタブ領域と前記文字領域内の文字とを置換する置換手段を設けたことを特徴とする請求項１〜請求項７のいずれかに記載のテープ印刷装置。
【請求項９】
テープを切断するカッター機構を備え、前記通常印刷時及び前記逆順印刷時に前記カッターによる同一の切断条件を設定する切断条件設定手段を設けたことを特徴とする請求項１〜請求項８のいずれかに記載のテープ印刷装置。
【発明の詳細な説明】
【技術分野】
【０００１】
本発明は、テープを収納したカセットを装着し、テープに文字や記号等を印刷するテープ印刷装置に関する。
【背景技術】
【０００２】
従来のテープ印刷装置は特許文献１に開示されている。このテープ印刷装置は表示部及び入力部を有し、文字、記号、絵文字等を入力できるようになっている。テープ印刷装置にはカセットを装着するカセット装着部が設けられ、カセットには印刷されるテープ及びインクリボンが収納されている。装着されたカセットのテープ及びインクリボンに対峙する位置にはインクリボンを融解してテープに付着させるサーマルヘッドが設けられている。これにより、入力部により入力された文字等をテープに印刷できるようになっている。
【０００３】
図１６は上記構成のテープ印刷装置の一使用例を示している。配電盤１００に配列された複数のブレーカー１０１の表面にはテープ印刷装置で印刷されたテープ１０２が貼着されている。テープ１０２には各ブレーカー１０１に対応した接続先から成る文字を印刷した文字領域１０２ａ〜１０２ｄが形成され、複数の文字領域１０２ａ〜１０２ｄが所定の間隔で連続して印刷されている。これにより、各ブレーカー１０１の接続先を簡単に明示することができる。
【０００４】
隣接する文字領域１０２ａ〜１０２ｄ間の空白は、入力部に設けられたスペースキーやタブキーの操作によるスペース領域やタブ領域により形成することができる。また、入力部には改ブロックキーが設けられている。改ブロックキーは所定間隔のブロックを形成する。これにより、複数の文字領域を所定長の固定領域から成るブロックにより所定間隔で配列して印刷することができる。
【特許文献１】特許第２５５６２３２号公報（第３頁−第６頁、第４図）
【発明の開示】
【発明が解決しようとする課題】
【０００５】
上記使用例において、配電盤１００のケーブル接続はブレーカー１０１の背面側から行われる。この時、ブレーカー１０１の表面に貼着されたテープ１０２を確認しながら接続作業を行うと作業工数がかかる。このため、背面側から見たブレーカー１０１の配列順（正面側から見たときに比べて逆になっている）に接続先を印刷したテープを作成し、背面側に貼着して接続作業が行われる。従って、上記従来のテープ印刷装置によると、同様のデータを順序を替えて２回入力してテープを作成しなければならず、ユーザーの利便性が悪い問題があった。
【０００６】
本発明は、利便性を向上できるテープ印刷装置を提供することを目的とする。
【課題を解決するための手段】
【０００７】
上記目的を達成するために請求項１に係る発明は、所定の区切りコードにより区分けされた複数の文字領域を有する文字列をテープに印刷するテープ印刷装置において、前記文字領域の順序を正順にして印刷する通常印刷を行う通常印刷手段と、前記文字領域の順序を逆順にした文字列を印刷する逆順印刷を行う逆順印刷手段とを有することを特徴としている。この構成によると、所望の文字を含む複数の文字領域が区切りコードによって区分けして入力される。テープ印刷装置は逆順印刷手段によって各文字領域を逆順に配列して印刷することができる。
【０００８】
また請求項２に係る発明は、上記構成のテープ印刷装置において、前記通常印刷と前記逆順印刷とを選択する印刷選択手段を設けたことを特徴としている。
【０００９】
また請求項３に係る発明は、上記構成のテープ印刷装置において、前記通常印刷と前記逆順印刷とを連続して行う連続印刷手段を備えたことを特徴としている。この構成によると、印刷を指示すると、文字領域を逆順に配列したテープと、正順に配列したテープとが連続して印刷される。
【００１０】
また請求項４に係る発明は、上記構成のテープ印刷装置において、前記通常印刷を行う第１印刷モードと、前記逆順印刷を行う第２印刷モードと、前記通常印刷と前記逆順印刷とを連続して行う第３印刷モードとを有することを特徴としている。
【００１１】
また請求項５に係る発明は、上記構成のテープ印刷装置において、前記区切りコードはスペースコード、タブコード及び改ブロックコードの一または複数から成ることを特徴としている。この構成によると、スペースキー、タブキー或いは改ブロックキーの操作によってスペースコード、タブコードまたは改ブロックコードが入力され、文字と文字との間を区切って隣接する文字領域を形成する。
【００１２】
また請求項６に係る発明は、上記構成のテープ印刷装置において、スペースコード、タブコード及び改ブロックコードの一または複数を選択する区切りコード選択手段を備えたことを特徴としている。
【００１３】
また請求項７に係る発明は、上記構成のテープ印刷装置において、前記逆順印刷時に、各前記文字領域内の文字の配置を反転する反転手段を設けたことを特徴としている。この構成によると、文字領域は所定長さが決められたブロックにより形成され、ブロック内の文字配置が右詰めの場合は逆順印刷時に左詰めに反転され、左詰めの場合は逆順印刷時に右詰めに反転される。
【００１４】
また請求項８に係る発明は、上記構成のテープ印刷装置において、前記逆順印刷時に、前記文字領域を区切るスペース領域またはタブ領域と前記文字領域内の文字とを置換する置換手段を設けたことを特徴としている。この構成によると、隣接する文字領域がスペース領域またはタブ領域で区切られ、文字領域を逆順に配列した際に後の文字領域の末尾に配されるスペース領域またはタブ領域が該文字領域内の文字と置換される。
【００１５】
また請求項９に係る発明は、上記構成のテープ印刷装置において、テープを切断するカッター機構を備え、前記通常印刷時及び前記逆順印刷時に前記カッターによる同一の切断条件を設定する切断条件設定手段を設けたことを特徴としている。この構成によると、通常印刷時に区切りコードで切断するように設定した場合は、逆順印刷でも同じ区切りコードで切断される。また、通常印刷時にハーフカットするように設定した場合は、逆順印刷でもハーフカットされる。
【発明の効果】
【００１６】
請求項１または請求項２の発明によると、文字領域の順序を逆順にした文字列を印刷する逆順印刷を行うことができるので、例えば配電盤の背面側から見た接続先を示すテープを容易に作成することができ、テープ印刷装置を操作するユーザーの利便性を向上させることができる。
【００１７】
また請求項３または請求項４の発明によると、通常印刷と逆順印刷とを連続して行えるので、配電盤の正面側と背面側のテープを簡単な操作で同時に得ることができ、テープ印刷装置の操作性を向上することができる。
【００１８】
また請求項５の発明によると、区切りコードがスペースコード、タブコード及び改ブロックコードの一または複数から成るので、簡単に文字領域を区切ることができる。
【００１９】
また請求項６の発明によると、区切りコードを選択する区切りコード選択手段を有するので、ユーザーの選択に応じて文字領域を区切ることができ、使用性を向上することができる。
【００２０】
また請求項７の発明によると、逆順印刷時に文字領域内の文字の配置を反転する反転手段を設けたので、文字領域内で右詰めや左詰めの文字配置がされた場合でも一の文字領域内の文字と隣接する文字領域内の文字との間隔を正順の通常印刷時と同じにすることができる。
【００２１】
また請求項８の発明によると、文字領域を区切るスペース領域またはタブ領域と文字領域内の文字とを置換する置換手段を設けたので、隣接する文字領域を逆順に配置しても通常印刷時と同じ間隔で配置することができる。
【００２２】
また請求項９の発明によると、通常印刷時及び逆順印刷時に同一の切断条件でテープを切断できるので、逆順印刷時に改めて切断条件を設定する必要がなく操作性を向上することができる。
【発明を実施するための最良の形態】
【００２３】
以下に本発明の実施形態を図面を参照して説明する。図１は一実施形態のテープ印刷装置を示す平面図である。テープ印刷装置１は前部に入力部２が配され、後部に印刷部３が配されている。入力部２はキーボード４及び液晶ディスプレイ５から成っている。キーボード４にはアルファベットや数字等の文字や各種の記号等のキャラクタを入力するためのキャラクタキー６と、各種の機能キー７とが設けられている。機能キー７にはカーソル移動キー、印刷実行キー、改行コードを入力するための改行キー、改ブロックコードを入力するための改ブロックキー等が含まれている。
【００２４】
印刷部３には透明のテープ１８、インクリボン２０及び粘着テープ２２を収納したカセット８（いずれも図２参照）を装着するカセット装着部９が設けられる。カセット装着部９にはリボン巻き取り軸１０及びテープ送り軸１１が設けられている。リボン巻き取り軸１０及びテープ送り軸１１はパルスモータ１５（図３参照）の駆動によって連動して回転し、それぞれインクリボン２０の巻き取り及びテープ１８の送りを行う。
【００２５】
また、装着されたカセット８のテープ１８及びインクリボン２０に対峙してサーマルヘッド１２が配されている。サーマルヘッド１２はテープの幅方向に複数の配列された発熱素子を有し、インクリボン２０を融解してテープ１８に付着させる。これにより、テープ１８に印刷が行われる。
【００２６】
図２はカセット８を装着したカセット装着部９部分のテープ印刷装置１の内部構成を示す平面図である。カセット８はケース１６内に複数のスプール１９、２１、２３を有し、各スプール１９、２１、２３にそれぞれテープ１８、インクリボン２０、粘着テープ２２が巻回されている。粘着テープ２２は両面が粘着面になっており、一面に剥離紙が付されるとともに他面が透明なテープ１８の印刷面に接着されるようになっている。
【００２７】
インクリボン１８はリボン巻き取り軸１０に連結されるリボン巻き取りスプール２４によって巻き取られる。また、ケース１６の一端に設けられた開口部１７の近傍には圧接ローラー２５が設けられ、テープ送り軸１１に連結して回転するようになっている。
【００２８】
サーマルヘッド１２及び圧接ローラー２５に対峙する位置には、プラテンローラー３０及びテープ送りローラー３１が配されている。プラテンローラー３０はインクリボン２０及びテープ１８を挟んでサーマルヘッド１２に圧着される。これにより、サーマルヘッド１２により融解されたインクリボン２０のインクをテープ１８に付着できるようになっている。
【００２９】
テープ送りローラー３１は粘着テープ２２及びテープ１８を挟んで圧接ローラー２５に圧着される。テープ送り軸１１の回転によって粘着テープ２２と接着されたテープ１８を開口部１７から送出できるようになっている。
【００３０】
また、カセット装着部９の側方にはカッター機構１４が配されている。カッター機構１４は粘着テープ２２及びテープ１８を切断するフルカッター４４と、粘着テープ２２の剥離紙を残して切断するハーフカッター４５とを有している。フルカッター４４は固定刃（不図示）に対して接離する回動可能な可動刃（不図示）を有している。可動刃がＤＣモータ３３の駆動により回動して固定刃との間ではさみの原理により開口部１７から送出される粘着テープ２２及びテープ１８をフルカットできるようになっている。
【００３１】
ハーフカッター４５は図１５に示すように、受台５１に対して軸部５４を中心に支持台５２が回動可能に支持されている。支持台５２には切断刃５３が固定されている。受台５１には両端に段部５１ａ、５１ｂが形成され、段部５１ａ、５１ｂの間に溝部５１ｃが形成されている。段部５１ａ、５２ｂは粘着テープ２２の剥離紙の厚みよりも浅く形成されている。
【００３２】
支持台５２の先端部５２ａを段部５１ａに当接させた状態で切断刃５３が段部５１ａ、５１ｂに当接するように位置決めされている。カセットから送出される粘着テープ２２及びテープ１８は溝部５１ｃに配置され、ＤＣモータ（不図示）により回動する切断刃５３が段部５１ａ、５１ｂに当接することによって剥離紙を残して切断される。これによりハーフカットが行われる。
【００３３】
図３はテープ印刷装置１の構成を示すブロック図である。テープ印刷装置１はＣＰＵ３６、ＲＯＭ３７、ＲＡＭ３８を有した制御装置３５を備えている。ＣＰＵ３６にはキーボード４が接続されるとともに、液晶ディスプレイ駆動回路３９、パルスモータ駆動回路４０、フルカッター駆動回路４１、ハーフカッター駆動回路４２、サーマルヘッド駆動回路４３が接続されている。
【００３４】
液晶ディスプレイ駆動回路３９は液晶ディスプレイ５（図１参照）を駆動する。パルスモータ駆動回路４０はリボン巻き取り軸１０及びテープ送り軸１１を回転させるパルスモータ１５を駆動する。フルカッター駆動回路４１はカッター機構１４のフルカッター４４のＤＣモータ３３（図２参照）を駆動する。ハーフカッター駆動回路４２はカッター機構１４のハーフカッター４５のＤＣモータ（不図示）を駆動する。サーマルヘッド駆動回路４３はサーマルヘッド１２を駆動する。
【００３５】
ＲＯＭ３７には表示用及び印刷用のキャラクタジェネレータや各種の制御用プログラムが記憶されている。ＲＡＭ３８は入力されたキャラクタデータ等から成るテキストを記憶するテキストデータ記憶領域を有するとともに、印刷の際にテキスト等に基づいて印刷パターンから成るイメージを記憶するイメージバッファ等を有している。
【００３６】
上記構成のテープ印刷装置１の動作を図４〜図７のフローチャートを参照して説明する。テープ印刷装置１の電源が投入されると図４に示すメインプログラムが起動する。メインプログラムのステップ＃１１ではデータの初期化等の初期化処理が行われ、キー操作可能な状態になる。ステップ＃１２ではキー操作があるまで待機する（ステップ＃１２のＮｏ）。
【００３７】
キー操作があると（ステップ＃１２のＹｅｓ）ステップ＃１３に移行してキャラクタキー６等の操作によるテキストの編集が行われたか否かが判断される。編集に係るキー操作でない場合（ステップ＃１３のＮｏ）はステップ＃１５に移行し、機能キー７の操作による通常印刷の指示があったか否かが判断される。
【００３８】
通常印刷の指示がない場合（ステップ＃１５のＮｏ）はステップ＃１８に移行し、機能キー７の操作による逆順印刷の指示があったか否かが判断される。逆順印刷の指示がない場合（ステップ＃１８のＮｏ）はステップ＃２１に移行し、キー操作に応じた他の処理が行われてステップ＃１２に戻る。
【００３９】
ステップ＃１３の判断により編集に係るキー操作であった場合（ステップ＃１３のＹｅｓ）はステップ＃１４に移行し、所望の文字入力等によるテキストの編集が行われてステップ＃１２に戻る。この操作を繰り返すことによりキーボード４を操作して所望のキャラクタのデータ、改行コード、改ブロックコード等から成るテキストを入力することができる。改ブロックコードは所定長の固定領域から成るブロックを形成する。改行コードはブロック内のテキストを改行する。尚、入力されたテキストは液晶ディスプレイ５に表示され、作成されたテキストのデータはＲＡＭ３８のテキストデータ記憶領域に記憶される。
【００４０】
ステップ＃１５の判断で通常印刷の指示があった場合（ステップ＃１５のＹｅｓ）はステップ＃１６に移行する。ステップ＃１６では図７に示すカッターセット処理が呼び出される。カッターセット処理ではステップ＃９１でセット画面がディスプレイ５に表示される。
【００４１】
図８（ａ）〜（ｄ）はディスプレイ５の表示画面を示しており、キーボード４に設けられたカーソルキーの操作によって図８（ａ）〜（ｄ）のいずれかに表示を切り替えることができる。ステップ＃９２ではテープ１８及び粘着テープ２２の切断条件を設定する。これにより切断条件設定手段が構成されている。
【００４２】
図８（ａ）の表示画面では、カーソルキーの操作により図中のアンダーラインを「フルカット」、「ハーフカット」、「カットなし」のいずれかに移動させることによってテープの印刷終了時の切断条件を選択する。「フルカット」の場合はフルカッター４４によりテープ１８及び粘着テープ２２が切断される。「ハーフカット」の場合はハーフカッター４５により、粘着テープ２２の剥離紙を残してテープ１８及び粘着テープ２２が切断される。「カットなし」の場合は切断が行われない。
【００４３】
同様に、図８（ｂ）の表示画面では改ブロックコードの位置での切断条件を選択することができる。図８（ｃ）の表示画面ではタブコードの位置での切断条件を選択することができる。図８（ｄ）の表示画面ではスペースコードの位置での切断条件を選択することができる。
【００４４】
ステップ＃９３ではステップ＃９２で選択した条件を設定するボタンが押されたか否かを判別する。設定しない場合は選択した条件を破棄してメインプログラムに戻る。設定する場合はステップ＃９４に移行してＲＡＭ３８に選択した条件が記憶され、メインプログラムに戻る。
【００４５】
メインプログラムのステップ＃１７では図５に示す通常印刷処理（通常印刷手段）が呼び出される。通常印刷処理では、テキストが入力された順（正順）のイメージを印刷する。通常印刷処理のステップ＃３１ではテキスト中の改ブロックコード、スペースコード、タブコードを検出するためにＲＡＭ３２のテキストデータ記憶領域に記憶されたテキストが正順に１データづつスキャンされる。ステップ＃３２ではテキストの最後までスキャンしたか否かが判別される。
【００４６】
スキャンしたデータがテキストの最後でない場合（ステップ＃３２のＮｏ）はステップ＃３９に移行して、スキャンしたデータが改ブロックコードか否かが判別される。改ブロックコードでない場合（ステップ＃３９のＮｏ）はステップ＃４４に移行してスキャンしたデータがスペースコードか否かが判別される。スペースコードでない場合（ステップ＃４４のＮｏ）はステップ＃４７に移行してスキャンしたデータがタブコードか否かが判別される。タブコードでない場合（ステップ＃４７のＮｏ）はステップ＃３１に戻る。
【００４７】
スキャンしたデータが改ブロックコードの場合はステップ＃３９でＹｅｓと判断され、ステップ＃４０に移行する。ステップ＃４０では検出した改ブロックコードと、前回検出した改ブロックコード或いはテキスト先頭との間のテキストデータ（スペースやタブを含む）が所定長の固定領域から成るブロック内に入るか否かの判断によりエラー検出が行われる。
【００４８】
この判断は検出した改ブロックコードと前回検出した改ブロックコード或いはテキスト先頭との間のテキストデータの印刷長を計算し、この印刷長と前記所定長との比較により行われる。印刷長が前記所定長よりも長くブロック内にテキストデータが入らない場合（ステップ＃４０のＮｏ）はステップ＃４１でその旨を表わすためのエラー処理を行って印刷を行わずにメインプログラムに戻る。
【００４９】
印刷長が前記所定長と同じか短く、ブロック内にテキストデータが入る場合（ステップ＃４０のＹｅｓ）はステップ＃４２に移行して、検出した改ブロックコードと、前回検出した改ブロックコード、スペースコード、タブコード或いはテキスト先頭との間のテキストデータのイメージを発生する。
【００５０】
ステップ＃４３ではテキストデータのイメージを含んで所定長のブロック領域がテープ上に確保されるように空白領域のイメージを発生し、ブロック内の文字配置に応じて文字の右詰め、左詰め或いはセンタリングしたイメージを更に発生する。ブロック内にスペースコードやタブコードがある場合は、後述するステップ＃４５やステップ＃４８により発生したスペース領域やタブ領域のイメージを含んで文字配置される。
【００５１】
そして、スペース領域やタブ領域を含んで発生されるブロック内のイメージがＲＡＭ３８のイメージバッファに記憶される。この時、イメージバッファに記憶されているイメージのデータに追加して記憶される。
【００５２】
スキャンしたデータがスペースコードの場合はステップ＃４４でＹｅｓと判断され、ステップ＃４５に移行する。ステップ＃４５では検出したスペースコードと、前回検出した改ブロックコード、スペースコード、タブコード或いはテキスト先頭との間のテキストデータのイメージを発生する。ステップ＃４６ではスペース領域（スペースコードによる空白領域）がテープ上に確保されるようにスペース領域のイメージを発生してＲＡＭ３８のイメージバッファに追加して記憶する。その後ステップ＃３１に戻る。
【００５３】
スキャンしたデータがタブコードの場合はステップ＃４７でＹｅｓと判断され、ステップ＃４８に移行する。ステップ＃４８では検出したタブコードと、前回検出した改ブロックコード、スペースコード、タブコード或いはテキスト先頭との間のテキストデータのイメージを発生する。
【００５４】
ステップ＃４９ではタブ領域（タブコードによる空白領域）がテープ上に確保されるようにタブ領域のイメージを発生してＲＡＭ３８のイメージバッファに追加して記憶する。その後ステップ＃３１に戻る。尚、スペースコードやタブコードが連続した場合は、各領域のイメージ発生のみを行ってイメージバッファに記憶される。
【００５５】
ステップ＃３２の判断によりテキストの最後を検出した場合（ステップ＃３２のＹｅｓ）はステップ＃３３に移行する。ステップ＃３３では検出したテキストエンドと前回検出した改ブロックコード、スペースコード、タブコード或いはテキスト先頭との間にテキストデータがあるか否かが判断される。
【００５６】
テキストデータがない場合（ステップ＃３３のＮｏ）はステップ＃３５に移行し、イメージバッファに格納されたイメージのデータを取り出して印刷が行われる。そして、図８（ａ）〜（ｄ）で指定した切断条件に応じてテープの切断が行われ、メインプログラムに戻る。
【００５７】
ステップ＃３３の判断でテキストデータがある場合（ステップ＃３３のＹｅｓ）はステップ＃３４に移行する。ステップ＃３４では、検出したテキストエンドと、前回検出した改ブロックコード、スペースコード、タブコード或いはテキスト先頭との間のテキストデータのイメージを発生する。発生したイメージはＲＡＭ３８のイメージバッファに追加して記憶される。そして、ステップ＃３５で印刷及び切断を行ってメインプログラムに戻る。
【００５８】
メインプログラムのステップ＃１８の判断により逆順印刷が指示された場合（ステップ＃１８のＹｅｓ）はステップ＃１９に移行して前述の図７に示すカッターセット処理が行われる。この時、前回の通常印刷または逆順印刷時の切断条件が既定値で設定されており、変更する場合に設定画面で設定することができる。
【００５９】
ステップ＃２０では図６に示す逆順印刷処理（逆順印刷手段）が呼び出される。逆順印刷処理では、所定の区切りコードで区切られた文字領域を逆順に配列したイメージを印刷する逆順印刷が行われる。逆順印刷処理のステップ＃６１では逆順印刷の条件が設定される。
【００６０】
図９は区切りコードを設定する設定画面を示している。区切りコードは改ブロックコード、スペースコード及びタブコードを選択可能になっている。左右方向のカーソルキーによりカーソルを左右に移動して選択キーを操作することにより一または複数を選択することができる。
【００６１】
これにより、改ブロックコード、スペースコード及びタブコードの一または複数を区切りコードとして選択する区切りコード選択手段が構成されている。同図は改ブロックコード、スペースコード及びタブコードの各項目に選択状態を示すアンダーラインが付され、これらのコード全てを区切りコードとして選択した場合を示している。
【００６２】
また、上下方向のカーソルキーの操作により図１０の設定画面に移行する。同図は逆順印刷を行う場合に同時に通常印刷を行うか否かを設定する設定画面を示している。左右方向のカーソルキーによりカーソルを左右に移動して選択キーの操作により通常印刷の「する」、「しない」の項目を選択することができる。これらの項目を選択すると同図に示すように選択状態を示すアンダーラインが付される。
【００６３】
これにより、逆順印刷と通常印刷とを連続して行うモード（第３印刷モード）と、逆順印刷のみを行うモード（第２印刷モード）とを選択することができる。尚、機能キー７の操作によって通常印刷処理を呼び出して通常印刷のみを行うモード（第１印刷モード）及び逆順印刷処理を呼び出して逆順印刷を行うモード（第２、第３印刷モード）を選択する印刷選択手段が構成されている。
【００６４】
ステップ＃６２では、ステップ＃６１にて設定した区切りコードを検出するために、ＲＡＭ３２のテキストデータ記憶領域に記憶されたテキストを入力した順とは逆方向に順に１データづつスキャンされる。ステップ＃６３ではスキャン中にテキストの先頭または区切りコードを検出したか否かが判別される。スキャンしたデータがテキストの先頭または区切りコードでない場合（ステップ＃６３のＮｏ）はステップ＃６２に戻る。テキストの先頭または区切りコードを検出した場合（ステップ＃６３のＹｅｓ）は、ステップ＃６４に移行する。
【００６５】
ステップ＃６４では検出したテキスト先頭または区切りコードと、前回検出した区切りコードまたはテキスト末尾との間の改ブロックコードの有無によってブロックがあるか否かが判断される。この時、区切りコードに改ブロックコードが設定されている場合も含んで判断される。
【００６６】
ブロックがない場合（ステップ＃６４のＮｏ）はステップ＃６６に移行する。ブロックがある場合（ステップ＃６４のＹｅｓ）はステップ＃６５で改ブロックコード間または改ブロックとテキスト先頭との間のテキストデータ（スペースやタブを含む）が所定長のブロック内に入るか否かが判断される。
【００６７】
この判断は、検出した改ブロックコードと前回検出した改ブロックコードまたはテキスト先頭との間のテキストデータの印刷長を計算し、この印刷長と前記所定長との比較により行われる。複数のブロックがある場合は各ブロックについて判断される。印刷長が前記所定長よりも長くブロック内にテキストデータが入らない場合（ステップ＃６５のＮｏ）はステップ＃７３で前述のステップ＃４１と同様のエラー処理を行って印刷を行わずにメインプログラムに戻る。
【００６８】
印刷長が前記所定長と同じか短くブロック内にテキストデータが入る場合（ステップ＃６５のＹｅｓ）はステップ＃６６に移行する。ステップ＃６６では検出した区切りコードまたはテキスト先頭と、前回検出した区切りコードまたはテキスト末尾との間の領域（文字領域）内のテキストデータのイメージを発生する。
【００６９】
この時、文字領域内に区切りコードに設定されていない一または複数の改ブロックコード、スペースコード或いはタブコードが含まれている場合は通常印刷（図５参照）時と同様にそれぞれの領域のイメージが発生される。同時に前回検出した区切りコード（テキスト末尾側）があれば該区切りコードによる空白領域がテープ上に確保されるように区切りコードに応じた空白領域のイメージが発生される。尚、新たに検出した区切りコード（テキスト先頭側）の領域のイメージは発生されない。
【００７０】
ステップ＃６７では文字領域内の一または複数のブロック内、或いは区切りコードが改ブロックコードの場合には文字領域全体から成るブロック内の文字配置を反転する。即ち、通常印刷時の文字配置が右詰めに設定されている場合は左詰めのイメージを発生し、通常印刷時の文字配置が左詰めに設定されている場合は右詰めのイメージを発生する。これにより、右詰めや左詰めの文字配置がされた場合に、文字領域内の文字の間隔や、一の文字領域内の文字と隣接する文字領域内の文字との間隔を正順の通常印刷時と同じにすることができる。
【００７１】
ステップ＃６８では区切りコードに設定されたスペースコードまたはタブコードによるスペース領域またはタブ領域と文字領域内の文字とを置換する置換手段が構成される。即ち、イメージ発生した文字領域の末尾には前回検出した区切りコードによりイメージ発生したスペース領域またはタブ領域が設けられる。
【００７２】
このスペース領域またはタブ領域と、文字領域内のテキストデータ（区切りコードに設定されないスペース、タブ、改ブロックを含む）との文字位置を置換したイメージを発生する。これにより、スペースコードまたはタブコードで区切られた隣接する文字領域を逆順に配置しても通常印刷時と同じ間隔で配置することができる。
【００７３】
そして、ステップ＃６６〜＃６８により発生したイメージはＲＡＭ３８のイメージバッファに記憶される。この時、イメージバッファに記憶されているイメージのデータに追加して記憶される。
【００７４】
ステップ＃６９ではステップ＃６３で検出したキャラクタがテキスト先頭か否かが判断される。検出されたのが区切りコードの場合（ステップ＃６９のＮｏ）はステップ＃６２に戻り、順に隣接する文字領域のイメージ発生が行われる。検出されたのがテキスト先頭の場合（ステップ＃６９のＹｅｓ）はステップ＃７０に移行する。
【００７５】
ステップ＃７０ではイメージバッファに格納されたイメージのデータを取り出して印刷が行われる。そして、前述の図８（ａ）〜（ｄ）で指定した切断条件に応じてテープの切断が行われる。
【００７６】
ステップ＃７１では前述の図１０の設定画面での設定内容に応じて、連続して通常印刷を行うか否かが判断される。通常印刷を行う場合（ステップ＃７１のＹｅｓ）はステップ＃７２で前述の図５の通常印刷処理が行われてメインプログラムに戻る。
【００７７】
本実施形態によると、イメージを記憶するイメージバッファ（ＲＡＭ３８）を有した制御部３５を備え、制御部３５の制御により行われる逆順印刷処理が、テキストを逆順にスキャンする手段（ステップ＃６２）と、区切りコードまたはテキストの先頭を検出する手段（ステップ＃６３）と、区切りコード間、区切りコードとテキスト先頭の間或いは区切りコードとテキスト末尾の間のイメージを発生する手段（ステップ＃６６）と、区切りコードに伴う領域のイメージを発生してイメージバッファに記憶する手段（ステップ＃６６〜＃６８）と、イメージバッファのイメージのデータを取り出して印刷する手段（ステップ＃７０）とを有することによって区切りコードで区切られた文字領域を逆順に配列して印刷することができる。
【００７８】
更に、一または複数の区切りコードを設定する区切りコード選択手段（図９参照）、ブロックの文字配置を反転したイメージを発生する反転手段（ステップ＃６７）、文字領域を区切るスペース領域またはタブ領域と文字領域内の文字とを置換する置換手段（ステップ＃６８）、通常印刷を連続して行う連続印刷手段（ステップ＃７１、＃７２）を設けるとより望ましい。
【００７９】
図１１〜図１３は本発明のテープ印刷装置１による印刷結果を示している。図１１（ａ）、（ｂ）は、区切りコードとしてスペースコードが設定されている場合の通常印刷と逆順印刷の印刷結果を示している。キー操作によって図４のステップ＃１２〜＃１４が繰り返し行われ、「Ａ１（スペースコード）Ａ１１（スペースコード）Ａ１２０（スペースコード）Ａ１３」から成るテキストデータがＲＡＭ３２のテキストデータ記憶領域に記憶される。キー操作によって通常印刷を指示すると、ステップ＃１５の判断によりステップ＃１７で通常印刷が行われる。
【００８０】
図５の通常印刷処理のステップ＃３１ではテキストデータ記憶領域に記憶されたテキストデータが正順にスキャンされ、スペースコードを検出するとステップ＃４４の判断によってステップ＃４５に移行する。ステップ＃４５では「Ａ１」のイメージが発生してＲＡＭ３２のイメージバッファに記憶される。ステップ＃４６ではスペース領域のイメージが発生してイメージバッファに記憶される。
【００８１】
ステップ＃３１に戻ってテキストデータのスキャンが継続され、次のスペースコードを検出するとステップ＃４５で「Ａ１１」のイメージが発生してイメージバッファに記憶される。ステップ＃４６ではスペース領域のイメージが発生してイメージバッファに記憶される。同様に、テキストデータのスキャンが継続され、次のスペースコードを検出するとステップ＃４５で「Ａ１２０」のイメージが発生してイメージバッファに記憶される。ステップ＃４６ではスペース領域のイメージが発生してイメージバッファに記憶される。
【００８２】
ステップ＃３１に戻ってテキストデータのスキャンが継続され、テキストエンドを検出するとステップ＃３２の判断によってステップ＃３３に移行する。そして、ステップ＃３４に移行して「Ａ１３」のイメージが発生し、ＲＡＭ３２のイメージバッファに記憶される。ステップ＃３５ではイメージバッファに記憶されたイメージデータを呼び出して印刷が行われる。これにより、図１１（ａ）に示す通常印刷の印刷結果が得られる。
【００８３】
次に、キー操作によって逆順印刷を指示すると、図４のステップ＃１８の判断によりステップ＃２０で逆順印刷が行われる。図６の逆順印刷処理のステップ＃６２ではテキストデータ記憶領域に記憶されたテキストデータがテキスト末尾から逆順にスキャンされる。スペースコードを検出するとステップ＃６３の判断によってステップ＃６４に移行する。ステップ＃６４の判断ではブロックがないのでステップ＃６６に移行する。ステップ＃６６では「Ａ１３」のイメージが発生してＲＡＭ３２のイメージバッファに記憶される。
【００８４】
ステップ＃６９の判断によりステップ＃６２に戻ってテキストデータのスキャンが継続され、スペースコードを検出するとステップ＃６３の判断によってステップ＃６４に移行する。ステップ＃６４の判断ではブロックがないのでステップ＃６６に移行する。ステップ＃６６では「Ａ１２０」及び前回検出したスペースコードによるスペース領域のイメージが発生する。ステップ＃６８ではスペース領域と「Ａ１２０」のイメージを反転してイメージバッファに記憶される。
【００８５】
同様にステップ＃６９の判断によりステップ＃６２に戻ってテキストデータのスキャンが継続され、スペースコードを検出するとステップ＃６３の判断によってステップ＃６４に移行する。ステップ＃６４の判断ではブロックがないのでステップ＃６６に移行する。ステップ＃６６では「Ａ１１」及び前回検出したスペースコードによるスペース領域のイメージが発生する。ステップ＃６８ではスペース領域と「Ａ１１」のイメージを反転してイメージバッファに記憶される。
【００８６】
ステップ＃６９の判断によりステップ＃６２に戻ってテキストデータのスキャンが継続され、テキスト先頭を検出するとステップ＃６３の判断によってステップ＃６４に移行する。ステップ＃６４の判断ではブロックがないのでステップ＃６６に移行する。ステップ＃６６では「Ａ１」及び前回検出したスペースコードによるスペース領域のイメージが発生する。ステップ＃６８ではスペース領域と「Ａ１」のイメージを反転してイメージバッファに記憶される。
【００８７】
テキスト先頭までスキャンしたのでステップ＃６９の判断によってステップ＃７０に移行し、イメージバッファに記憶されたイメージデータを呼び出して印刷が行われる。これにより、図１１（ｂ）に示す逆順印刷の印刷結果が得られる。
【００８８】
図１１（ａ）、（ｂ）によると、通常印刷の印刷結果はスペース領域Ｓで区切られらた文字領域が並んだ文字列から成っており、逆順印刷を行うと各文字領域が入力と逆順に配列され、スペース領域Ｓで区切られている。
【００８９】
図１２（ａ）、（ｂ）は、区切りコードとしてタブコードが設定されている場合の通常印刷と逆順印刷の印刷結果を示している。キー操作によって図４のステップ＃１２〜＃１４が繰り返し行われ、「Ａ１（タブコード）Ａ１１（タブコード）Ａ１２０（タブコード）Ａ１３」から成るテキストデータがＲＡＭ３２のテキストデータ記憶領域に記憶される。キー操作によって通常印刷を指示すると、ステップ＃１５の判断によりステップ＃１７で通常印刷が行われる。
【００９０】
図５の通常印刷処理のステップ＃３１ではテキストデータ記憶領域に記憶されたテキストデータが正順にスキャンされ、タブコードを検出するとステップ＃４７の判断によってステップ＃４５に移行する。ステップ＃４８では「Ａ１」のイメージが発生してＲＡＭ３２のイメージバッファに記憶される。ステップ＃４９ではタブ領域のイメージが発生してイメージバッファに記憶される。
【００９１】
ステップ＃３１に戻ってテキストデータのスキャンが継続され、次のタブコードを検出するとステップ＃４８で「Ａ１１」のイメージが発生してイメージバッファに記憶される。ステップ＃４９ではタブ領域のイメージが発生してイメージバッファに記憶される。同様に、テキストデータのスキャンが継続され、次のタブコードを検出するとステップ＃４８で「Ａ１２０」のイメージが発生してイメージバッファに記憶される。ステップ＃４９ではタブ領域のイメージが発生してイメージバッファに記憶される。
【００９２】
ステップ＃３１に戻ってテキストデータのスキャンが継続され、テキストエンドを検出するとステップ＃３２の判断によってステップ＃３３に移行する。そして、ステップ＃３４に移行して「Ａ１３」のイメージが発生し、イメージバッファに記憶される。ステップ＃３５ではイメージバッファに記憶されたイメージデータを呼び出して印刷が行われる。これにより、図１２（ａ）に示す通常印刷の印刷結果が得られる。
【００９３】
次に、キー操作によって逆順印刷を指示すると、図４のステップ＃１８の判断によりステップ＃２０で逆順印刷が行われる。図６の逆順印刷処理のステップ＃６２ではテキストデータ記憶領域に記憶されたテキストデータがテキスト末尾から逆順にスキャンされる。タブコードを検出するとステップ＃６３の判断によってステップ＃６４に移行する。ステップ＃６４の判断ではブロックがないのでステップ＃６６に移行する。ステップ＃６６では「Ａ１３」のイメージが発生してＲＡＭ３２のイメージバッファに記憶される。
【００９４】
ステップ＃６９の判断によりステップ＃６２に戻ってテキストデータのスキャンが継続され、次のタブコードを検出するとステップ＃６３の判断によってステップ＃６４に移行する。ステップ＃６４の判断ではブロックがないのでステップ＃６６に移行する。ステップ＃６６では「Ａ１２０」及び前回検出したタブコードによるタブ領域のイメージが発生する。ステップ＃６８ではタブ領域と「Ａ１２０」のイメージを反転してイメージバッファに記憶される。
【００９５】
同様にステップ＃６９の判断によりステップ＃６２に戻ってテキストデータのスキャンが継続され、タブコードを検出するとステップ＃６３の判断によってステップ＃６４に移行する。ステップ＃６４の判断ではブロックがないのでステップ＃６６に移行する。ステップ＃６６では「Ａ１１」及び前回検出したタブコードによるタブ領域のイメージが発生する。ステップ＃６８ではタブ領域と「Ａ１１」のイメージを反転してイメージバッファに記憶される。
【００９６】
ステップ＃６９の判断によりステップ＃６２に戻ってテキストデータのスキャンが継続され、テキスト先頭を検出するとステップ＃６３の判断によってステップ＃６４に移行する。ステップ＃６４の判断ではブロックがないのでステップ＃６６に移行する。ステップ＃６６では「Ａ１」及び前回検出したタブコードによるタブ領域のイメージが発生する。ステップ＃６８ではタブ領域と「Ａ１」のイメージを反転してイメージバッファに記憶される。
【００９７】
テキスト先頭までスキャンしたのでステップ＃６９の判断によってステップ＃７０に移行し、イメージバッファに記憶されたイメージデータを呼び出して印刷が行われる。これにより、図１２（ｂ）に示す逆順印刷の印刷結果が得られる。
【００９８】
図１２（ａ）、（ｂ）によると、通常印刷の印刷結果はタブ領域Ｔで区切られらた文字領域が並んだ文字列から成っており、逆順印刷を行うと各文字領域が入力と逆順に配列され、タブ領域Ｔで区切られている。
【００９９】
図１３（ａ）、（ｂ）、（ｃ）は、区切りコードとして改ブロックコードが設定されている場合の入力データ、通常印刷の印刷結果及び逆順印刷の印刷結果を示している。入力データは改行コードＣ及び改ブロックコードＢを含むテキストから成っている。キー操作によって図４のステップ＃１２〜＃１４が繰り返し行われ、「Ａ１（改ブロックコード）Ａ１２３（改行コード）Ａ１１０（改ブロックコード）Ａ１２０（改ブロックコード）Ａ１３」から成るテキストデータがＲＡＭ３２のテキストデータ記憶領域に記憶される。キー操作によって通常印刷を指示すると、ステップ＃１５の判断によりステップ＃１７で通常印刷が行われる。
【０１００】
図５の通常印刷処理のステップ＃３１ではテキストデータ記憶領域に記憶されたテキストデータが正順にスキャンされ、改ブロックコードを検出するとステップ＃３９の判断によってステップ＃４０のエラー検出後ステップ＃４２に移行する。ステップ＃４２では「Ａ１」のイメージが発生してＲＡＭ３２のイメージバッファに記憶される。ステップ＃４３では所定長のブロック領域を形成するように空白領域のイメージが発生し、文字配置を左詰めにしたイメージが発生する。発生したイメージはＲＡＭ３２のイメージバッファに記憶される。
【０１０１】
ステップ＃３１に戻ってテキストデータのスキャンが継続され、次の改ブロックコードを検出するとステップ＃４２で「Ａ１２３（改行）Ａ１１０」のイメージが発生してイメージバッファに記憶される。ステップ＃４３ではブロック領域を形成する空白領域のイメージが発生し、文字配置を左詰めにしたイメージが発生してイメージバッファに記憶される。尚、改行コードＣによってブロック内の文字列が改行される。
【０１０２】
同様に、テキストデータのスキャンが継続され、次の改行コードを検出するとステップ＃４２で「Ａ１２０」のイメージが発生してイメージバッファに記憶される。ステップ＃４３ではブロック領域を形成する空白領域のイメージが発生し、文字配置を左詰めにしたイメージが発生してイメージバッファに記憶される。
【０１０３】
また、テキストデータのスキャンが継続され、次の改行コードを検出するとステップ＃４２で「Ａ１３」のイメージが発生してイメージバッファに記憶される。ステップ＃４３ではブロック領域を形成する空白領域のイメージが発生し、文字配置を左詰めにしたイメージが発生してイメージバッファに記憶される。
【０１０４】
ステップ＃３１に戻ってテキストデータのスキャンが継続され、テキストエンドを検出するとステップ＃３２の判断によってステップ＃３３に移行する。ステップ＃３３では前回検出した改ブロックコードとテキストエンドとの間にデータがあるか否かを判断し、データがないのでステップ＃３５に移行する。ステップ＃３５ではイメージバッファに記憶されたイメージデータを呼び出して印刷が行われる。これにより、図１３（ｂ）に示すように、所定長のブロックが並んだ通常印刷の印刷結果が得られる。
【０１０５】
次に、キー操作によって逆順印刷を指示すると、図４のステップ＃１８の判断によりステップ＃２０で逆順印刷が行われる。図６の逆順印刷処理のステップ＃６２ではテキストデータ記憶領域に記憶されたテキストデータがテキスト末尾から逆順にスキャンされる。改ブロックコードを検出するとステップ＃６３の判断によってステップ＃６４に移行する。ステップ＃６４の判断ではテキスト末尾から最初の改ブロックコードの検知のためブロックがないのでステップ＃６６に移行する。ステップ＃６６、＃６７、＃６８ではデータがないため何も行われず、ステップ＃６９の判断によりステップ＃６２に戻る。
【０１０６】
ステップ＃６２、＃６３ではテキストデータのスキャンが継続され、次の改ブロックコードを検出するとステップ＃６３の判断によってステップ＃６４に移行する。ステップ＃６４の判断では区切りコード間にブロックがあるのでステップ＃６５でエラー検出した後、ステップ＃６６に移行する。
【０１０７】
ステップ＃６６では「Ａ１３」のイメージと、所定長のブロック領域を形成するための空白領域のイメージが発生する。ステップ＃６７ではブロック内の文字配置を右詰めに反転したイメージが発生し、イメージバッファに記憶される。そして、ステップ＃６８で何も行わずにステップ＃６９の判断によりステップ＃６２に戻る。
【０１０８】
ステップ＃６２、＃６３ではテキストデータのスキャンが継続され、次の改ブロックコードを検出するとステップ＃６３の判断によってステップ＃６４に移行する。ステップ＃６４の判断では区切りコード間にブロックがあるのでステップ＃６５でエラー検出した後、ステップ＃６６に移行する。
【０１０９】
ステップ＃６６では「Ａ１２０」のイメージと、所定長のブロック領域を形成するための空白領域のイメージが発生する。ステップ＃６７ではブロック内の文字配置を右詰めに反転したイメージが発生し、イメージバッファに記憶される。そして、ステップ＃６８で何も行わずにステップ＃６９の判断によりステップ＃６２に戻る。
【０１１０】
ステップ＃６２、＃６３ではテキストデータのスキャンが継続され、次の改ブロックコードを検出するとステップ＃６３の判断によってステップ＃６４に移行する。ステップ＃６４の判断では区切りコード間にブロックがあるのでステップ＃６５でエラー検出した後、ステップ＃６６に移行する。
【０１１１】
ステップ＃６６では「Ａ１２３（改行）Ａ１１０」のイメージと、所定長のブロック領域を形成するための空白領域のイメージが発生する。ステップ＃６７ではブロック内の文字配置を右詰めに反転したイメージが発生し、イメージバッファに記憶される。そして、ステップ＃６８で何も行わずにステップ＃６９の判断によりステップ＃６２に戻る。
【０１１２】
ステップ＃６２、＃６３ではテキストデータのスキャンが継続され、テキスト先頭を検出するとステップ＃６３の判断によってステップ＃６４に移行する。ステップ＃６４の判断では前回検出の区切りコードとテキスト先頭との間にブロックがあるのでステップ＃６５でエラー検出した後、ステップ＃６６に移行する。ステップ＃６６では「Ａ１」のイメージと、所定長のブロック領域を形成するための空白領域のイメージが発生する。ステップ＃６７ではブロック内の文字配置を右詰めに反転したイメージが発生し、イメージバッファに記憶される。
【０１１３】
テキスト先頭までスキャンしたのでステップ＃６９の判断によってステップ＃７０に移行し、イメージバッファに記憶されたイメージデータを呼び出して印刷が行われる。これにより、図１３（ｃ）に示す逆順印刷の印刷結果が得られる。
【０１１４】
図１３（ｂ）、（ｃ）によると、通常印刷の印刷結果は文字配置が左詰めのブロックから成る文字領域が並んだ文字列になっており、逆順印刷を行うと各文字領域が入力と逆順に配列され、ブロック内の文字配置が反転して右詰めになっている。
【０１１５】
通常印刷したテープは前述の図１６に示すように、従来と同様に配電盤１００に貼着して各ブレーカー１０１の接続先を簡単に明示することができる。また、逆順印刷されたテープは図１４に示すように、配電盤１００の各ブレーカー１０１の背面側に貼着することにより、接続作業時にケーブル１０３を簡単に接続することができる。従って、正順と逆順の同様のデータを２回入力する必要がなく、ユーザーの利便性を向上することができる。
【産業上の利用可能性】
【０１１６】
本発明によると、文字領域の順序を逆順にした文字列を印刷する逆順印刷を行うことができるので、配電盤の背面側から見た接続先を示すテープを容易に作成することができ、利便性を向上したテープ印刷装置を得ることができる。
【図面の簡単な説明】
【０１１７】
【図１】は、本発明の実施形態のテープ印刷装置を示す平面図である。
【図２】は、本発明の実施形態のテープ印刷装置のカセット装着部部分を示す平面図である。
【図３】は、本発明の実施形態のテープ印刷装置の構成を示すブロック図である。
【図４】は、本発明の実施形態のテープ印刷装置のメインプログラムを示すフローチャートである。
【図５】は、本発明の実施形態のテープ印刷装置の通常印刷処理を示すフローチャートである。
【図６】は、本発明の実施形態のテープ印刷装置の逆順印刷処理を示すフローチャートである。
【図７】は、本発明の実施形態のテープ印刷装置のカッターセット処理を示すフローチャートである。
【図８】は、本発明の実施形態のテープ印刷装置のカッターセットの設定画面を示す図である。
【図９】は、本発明の実施形態のテープ印刷装置の逆順印刷時の区切りコードの設定画面を示す図である。
【図１０】は、本発明の実施形態のテープ印刷装置の逆順印刷時の通常印刷要否の設定画面を示す図である。
【図１１】は、本発明の実施形態のテープ印刷装置の印刷結果を示す図である。
【図１２】は、本発明の実施形態のテープ印刷装置の印刷結果を示す図である。
【図１３】は、本発明の実施形態のテープ印刷装置の印刷結果を示す図である。
【図１４】は、本発明の実施形態のテープ印刷装置により印刷したテープの使用例を示す斜視図である。
【図１５】は、本発明の実施形態のテープ印刷装置のハーフカッターを示す正面図である。
【図１６】は、従来のテープ印刷装置により印刷したテープの使用例を示す斜視図である。
【符号の説明】
【０１１８】
１    テープ印刷装置
２    入力部
３    印刷部
４    キーボード
５    液晶ディスプレイ
６    キャラクタキー
７    機能キー
８    カセット
９    カセット装着部
１０    リボン巻き取り軸
１１    テープ送り軸
１２    サーマルヘッド
１４    カッター機構
１５    パルスモータ
１６    ケース
１８    テープ
２０    インクリボン
２２    粘着テープ
２５    圧接ローラー
３０    プラテンローラー
３１    テープ送りローラー
３３    ＤＣモータ
３５    制御装置
３６    ＣＰＵ
３７    ＲＯＭ
３８    ＲＡＭ
４４    フルカッター
４５    ハーフカッター
【図１】
2005081650.tif 000003
【図２】
2005081650.tif 000004
【図３】
2005081650.tif 000005
【図４】
2005081650.tif 000006
【図５】
2005081650.tif 000007
【図６】
2005081650.tif 000008
【図７】
2005081650.tif 000009
【図８】
2005081650.tif 000010
【図９】
2005081650.tif 000011
【図１０】
2005081650.tif 000012
【図１１】
2005081650.tif 000013
【図１２】
2005081650.tif 000014
【図１３】
2005081650.tif 000015
【図１４】
2005081650.tif 000016
【図１５】
2005081650.tif 000017
【図１６】
2005081650.tif 000018